(57)【要約】【課題】通気性機能のある複合式アウトソールの提供。【解決手段】通気性機能のある複合式アウトソールであり、アウトソールを段落化し、アウトソールの前半部分にある足裏とアウトソールの後半部分にある踵部分をＰＵ材質で作られて、そして、アウトソールの中段にある足のアーチをＴＰＵ材質で作られる。そして、この３つの部分を粘着剤で接着し、一体化にする。靴のアーチ部分に少なくとも１つの開け口を設け、一体成形化なメッシュ状素材により形成した通気穴を合わせ、靴内の湿気と靴外の新鮮空気は交換可能になり、不快な靴内の湿気を軽減し、快適さを保つことができる。【選択図】図１
0003125891.tif 000002
【実用新案登録請求の範囲】
【請求項１】
アウトソールを分段化して、前半の足裏部分、後半のかかと部分、及び中段の足アーチ部分とし、この３つ部分を一体化にし、完成したアウトソールになることを特徴とする通気性機能を持つ複合式アウトソール。
【請求項２】
当該アウトソールの中段部分である足のアーチ部分に少なくとも１つの開け口を設置することを特徴とする請求項１記載の通気性機能を持つ複合式アウトソール。
【請求項３】
当該アウトソールの中段部分と一層の金属メッシュを一体化して成型し、一層の金属メッシュ片をアーチ部分の横断面に覆うことを特徴とする請求項１記載の通気性機能を持つ複合式アウトソール。
【請求項４】
当該アウトソール前半部分の足の裏及び後半部分のかかとをＰＵ材質で一体成形化にされ作られることを特徴とする請求項１記載の通気性機能を持つ複合式アウトソール。
【請求項５】
ＴＰＵで当該アウトソールの中段部分のアーチ部を一体化することを特徴とする請求項１記載の通気性機能を持つ複合式アウトソール。
【請求項６】
当該アウトソール前半部分の足の裏と、後半部分のかかと、及び中段部分のアーチ部を、粘着剤で３つ部分を接着して完成したアウトソールになることを特徴とする請求項１記載の通気性機能を持つ複合式アウトソール。
【考案の詳細な説明】
【技術分野】
【０００１】
本考案はアウトソール（ｏｕｔｓｏｌｅ） の改良である。とりわけ、アウトソールを段落化して、アウトソールの前半である足の裏の部分と後半であるかかとの部分をＰＵ材質で作られて、中段である足のアーチの部分をＴＰＵ材質で作られる。さらに、この３つの部分を粘着剤で接着し、一体化にする。靴のアーチ部分に少なくとも１つの開け口を設計し、一体成型化なメッシュ状素材より形成した通気穴にて、通気性機能を持つ複合式アウトソールを提供する。
【背景技術】
【０００２】
長年にわたり靴産業界には、靴内の温度を下げる設計によって、不快な靴内の湿気を軽減し、快適さを保つことをよく利用されている。しかしながら、これは主に外部に加えるエアバッグで空気の通り道を確保しようとする。設計の目的を達成することができるが、構造の複雑性のため、量産性はかなり困難であると考えられる。
【０００３】
例えば、特許文献１の通気性のある靴の案件によると、靴表面、及びその内層からなるアッパー、中敷（ソックライナー）、中底（インソール）、靴底などが含まれる。その特徴は当該靴底の表面に弾力性のあるエアバッグを設け、当該弾力性のあるエアバッグは通気パイプと連接し、当該通気パイプは靴のアッパーまで延伸し、靴表面部分と内層の間に置かれる。アッパーにある通気パイプに外と連接する通気穴が設置される。
【０００４】
また、特許文献２におけるアウトソール通気性構造の改良によると、それは主にアウトソールのかかとの部分に開け口を設ける。当該開け口の上にエアバッグを設ける。そのうち、当該エアバッグの上部前縁部はかかとの底部分により延伸し、エアバッグのほかの縁側部分は吊り片にて開け口の縁端と連接する。エアバッグの底部は前から後ろまでに斜め面になって、エアバッグの底部にはかかとの部分より出る。そして、靴を履いて歩く時には、エアバッグを押し出すと、空気の対流効果を構成するので、靴の内部と外部との換気が始まり、通気性の効果を達成する。
【０００５】
更に、特許文献３における通気性及び防水性効果のある靴の構造改善案件によると、１つのアウトソール、１つの靴底、１つの靴表面、２つのブロック体及び１つのヒールにより構成される。その特徴は、アウトソールの先端に横立てのスロットを設け、当該スロットはアウトソールの両側とつながる。靴底上に防水通気材質の布を覆う。防水通気布の縁側部分を折ると、出てきた布をさらに下に折って、靴底の上に覆われる。その靴底の内面にエアバッグを有し、且つパイプでシャンク先端縁部までつながる。中敷の上には若干の通気穴を設け、管路と貫通する。シャンクの先端部にも折り目の縁部を設け、これにより、エアバッグは足部の踏みによって、強制的な気流が生成され、パイプと通気穴を経て靴内に満たし、また防水通気布を通してスロットから排出される。水が逆方向でスロットに入る時、防水通気布の遮蔽により水が靴内に入ることはできないため、靴内に乾燥状態と通気性を維持することができる。
【０００６】
【特許文献１】台湾特許第Ｍ２４２０３３号明細書
【特許文献２】台湾特許第Ｍ２４０８５１号明細書
【特許文献３】台湾特許第８７２００５６３号号明細書
【考案の開示】
【考案が解決しようとする課題】
【０００７】
本考案の申請人はエアクッション靴の専門メーカーであり、上述した製品に既存した欠点に鑑み、考案者は力を注ぎ、通気性のあるアウトソールの構造改良を開発しようとする。
【０００８】
即ち、本考案の主な目的は、通気性のある複合式アウトソール構造を提供する。極めてシンプルな構造で、顕著的な効果のある通気性機能を持つアウトソールの構造改良を提供し、靴内の多湿高温の環境を改善することにより、不快な靴内の湿気を軽減し、快適さを保つ。
【０００９】
上述した目的を達成するために、その実施方式は、通気性機能を持つアウトソールの構造改良を利用し、アウトソールを分段化し、ＰＵ材質でアウトソールの前半部分にある足の裏部とアウトソールの後半部分にあるかかとの部分を作り、アウトソールの中段にある靴のアーチをＴＰＵ材質で作る。そして、この３つの部分を粘着剤で接着し、一体化にする。靴のアーチ部分に少なくとも１つの開け口を設け、一体成形化なメッシュ状素材より形成した通気穴により、靴内の湿気と靴外の新鮮空気は交換可能になり、不快な靴内の湿気を軽減できる複合式のアウトソールである。
【課題を解決するための手段】
【００１０】
請求項１の考案は、アウトソールを分段化して、前半の足裏部分、後半のかかと部分、及び中段の足アーチ部分とし、この３つ部分を一体化にし、完成したアウトソールになることを特徴とする通気性機能を持つ複合式アウトソールとしている。
請求項２の考案は、当該アウトソールの中段部分である足のアーチ部分に少なくとも１つの開け口を設置することを特徴とする請求項１記載の通気性機能を持つ複合式アウトソールとしている。
請求項３の考案は、当該アウトソールの中段部分と一層の金属メッシュを一体化して成型し、一層の金属メッシュ片をアーチ部分の横断面に覆うことを特徴とする請求項１記載の通気性機能を持つ複合式アウトソールとしている。
請求項４の考案は、当該アウトソール前半部分の足の裏及び後半部分のかかとをＰＵ材質で一体成形化にされ作られることを特徴とする請求項１記載の通気性機能を持つ複合式アウトソーとしている。
請求項５の考案は、ＴＰＵで当該アウトソールの中段部分のアーチ部を一体化することを特徴とする請求項１記載の通気性機能を持つ複合式アウトソールとしている。
請求項６の考案は、当該アウトソール前半部分の足の裏と、後半部分のかかと、及び中段部分のアーチ部を、粘着剤で３つ部分を接着して完成したアウトソールになることを特徴とする請求項１記載の通気性機能を持つ複合式アウトソールとしている。
【考案の効果】
【００１１】
本考案は通気性のある複合式アウトソール構造を提供する。極めてシンプルな構造で、顕著的な効果のある通気性機能を持つアウトソールの構造改良を提供し、靴内の多湿高温の環境を改善することにより、不快な靴内の湿気を軽減し、快適さを保つ。
【考案を実施するための最良の形態】
【００１２】
図１である本考案のアウトソール立体分解図、図２である本考案のアウトソールの外観立体図及ぶ図３である本考案のアウトソール断面図を参照すること。本考案は、アウトソールを分段化し、伝統的な発泡ポリウレタン（ｐｏｌｙｕｒｅｔｈａｎｅ；ＰＵ）材質で、アウトソールの前半部分にある足の裏とアウトソールの後半部分にあるかかとの部分を作る。アウトソールの中段にある靴のアーチを弾力性、耐擦傷性、耐寒性、耐衝撃性及び抗張力などの特性を所有する可塑性ポリウレタン樹脂（Ｔｈｅｒｍｏｐｌａｓｔｉｃ  Ｐｏｌｙｕｒｅｔｈａｎｅ;ＴＰＵ）材質で作る。そして、この３つの部分を粘着剤で接着し、図２に示したようなアウトソールを完成する。
【００１３】
そのうち、ＴＰＵ材質で作られる靴のアーチ部分３に最低に１箇所の開け口３１を設置し（図によると、両側とも開け口を設ける）、そして、一層の金属メッシュ片４で靴のアーチ部分３の横断面に覆う。当該金属メッシュ片４と靴のアーチ部分３との一体モジュールを作成した後、上述した開け口３１を覆う。この目的は形成した通気穴にて靴内の高温多湿な空気を外部の新鮮な空気と交換することにより、靴内の乾燥を保つ。ＴＰＵ材質の靴のアーチ部分３を金型により成型して金属メッシュ片４と一体化にするため、通気穴を形成させるために、伝統的なＰＵ材質を利用できなく、靴のアーチ部分３は弾力性、耐擦傷性、耐寒性、耐衝撃性及び抗張力などの特性のあるＴＰＵ材質を利用しなければならない。従って、本考案では特にＰＵで前半の足の裏１部分と後半のかかと２部分を作り、ＴＰＵで中段の靴のアーチ３部分を作る。そして、粘着剤で３つ部分を接着して完成したアウトソールになる目的はここである。
【００１４】
歩くときには、足裏からの力でアウトソールに間歇的に通気穴に圧力をかけるので、空気の交換及び流通することにより、靴内の高温多湿な空気を靴外の新鮮な空気と交換する。そして、靴内の多湿な程度を改善し、乾燥した靴内状態を保つことができる。
【００１５】
以上をまとめると、本考案には非常にシンプルな構造で顕著的な効果を持つ通気性機能のアウトソール構造を提供する作品である。有効に靴内の多湿な程度を改善し、乾燥した靴内状態を保つことができるので、非常に健康意識を持つ製品ともいえる。
【図面の簡単な説明】
【００１６】
【図１】本考案におけるアウトソールの立体分解図である。
【図２】本考案におけるアウトソールの外観の立体図である。
【図３】本考案におけるアウトソールの断面図である。
【符号の説明】
【００１７】
１  足の裏の部分
２  かかとの部分
３  靴のアーチの部分 
４  金属メッシュ片
３１  開け口
【図１】
0003125891.tif 000003
【図２】
0003125891.tif 000004
【図３】
0003125891.tif 000005